(57)【要約】      （修正有）【課題】けが人や老人など痛みを抱えた力の弱い使用者が、ケースに入った薬剤を、手の届きにくい背中や臀部などの患部に容易に塗布できる薬剤塗布用器具を提供する。【解決手段】湾曲したアーム３の一端に持ち手２を接続し、薬剤入りケース６を取り付け可能に形成された取り付け部４を、アーム３の他端に接続し、取り付け部４は、薬剤入りケース６に設けられた薬剤の塗布面７を外部に露出するように、薬剤入りケース６を支持する薬剤塗布用器具１である。この器具により、市販や処方されるケースに入った薬剤を、手の届きにくい患部に容易に塗布できる。また、薬剤の劣化も防止できる。【選択図】図１
2007307069.tif 000002
【特許請求の範囲】
【請求項１】
湾曲したアームの一端に持ち手を接続し、
薬剤入りケースを取り付け可能に形成された取り付け部を、前記アームの他端に接続し、
前記取り付け部は、前記薬剤入りケースに設けられた薬剤の塗布面を外部に露出するように、前記薬剤入りケースを支持する薬剤塗布用器具。
【請求項２】
前記アームは、前記もち手から一定の長さにかけて第１円弧部を有し、前記第１円弧部から前記取り付け部にかけて第２円弧部を有し、前記第２円弧部の曲率は前記第１円弧部の曲率よりも大きい請求項１記載の薬剤塗布用器具。
【請求項３】
前記取り付け部は、対向する第１端部と第２端部を備えた筒状の部材を有し、前記第１端部は前記アームに接続され、前記第２端部は開口した開口部を有しており、前記開口部から前記薬剤入りケースが挿入されて取り付けられる請求項１から２のいずれか記載の薬剤塗布用器具。
【請求項４】
前記筒状の側面に、前記筒状の部材の軸方向に沿ったスリットを形成してなる請求項３記載の薬剤塗布用器具。
【請求項５】
前記筒状の部材の側面に、装着バンドを形成してなる請求項３記載の薬剤塗布用器具。
【請求項６】
前記筒状の部材の内側の側面に、薬剤入りケースを取り付け可能に形成された押さえ部を設けた請求項３記載の薬剤塗布用器具。
【請求項７】
前記アームと前記取り付け部は、可動できる関節により接続されている請求項１から６のいずれか記載の薬剤塗布用器具。
【請求項８】
前記アームは、伸縮可能である請求項１から７のいずれか記載の薬剤塗布用器具。
【請求項９】
前記もち手の表面に滑り止めを形成してなる請求項１から８のいずれか記載の薬剤塗布用器具。
【請求項１０】
前記アームは中空であって、前記中空に心棒が備えられ、前記心棒の一端は前記薬剤入りケースの底部に接し、他端は前記もち手に設けられたボタンに接し、前記ボタンが押されると前記心棒は前記薬剤箱の底部を押し上げ、薬剤入りケースに充填されている薬剤を塗布面に漏出させる請求項１から９のいずれか記載の薬剤塗布用器具。
【請求項１１】
前記取り付け部は、前記アームから取り外し可能である、請求項１から１０のいずれか記載の薬剤塗布用器具。
【発明の詳細な説明】
【技術分野】
【０００１】
本発明は、鎮痛剤や消炎剤などの市販されている塗布用の薬剤を、背中など使用者が一人で塗布しにくい場所にでも容易に塗布できる薬剤塗布用器具に関するものである。
【背景技術】
【０００２】
従来より、痛みに対する鎮痛剤や、炎症に対する消炎剤などの塗布用の薬剤が用いられている。使用者は、患部にこれらの薬剤を塗布して使用する。
【０００３】
ところが、患部が使用者の背中や臀部など手が直接には届かない部位であると、使用者自身で薬剤を塗布することができず、他人に薬剤を塗布してもらうしかない。特に、使用者は痛みや炎症などの患部を有しているのであるから、このような使用者が健常状態でも届きにくい部位に、手を届かせるのは非常な困難を伴う。
【０００４】
このような使用者が、手の届きにくい患部に薬剤を塗布しやすいように、背中かきである孫の手の一端に薬剤を浸透させるスポンジを備えた器具について提案されている（例えば、特許文献１参照）。
【０００５】
しかしながら、特許文献１が開示する器具は、次のような問題がある。
【０００６】
特許文献１に開示される器具は、棒体の一端にスポンジを備えて、このスポンジに薬剤を充填して使用される。しかし、現在の市販薬、処方薬は、薬剤のみで販売されるのではなく、ケースに薬剤が既に充填されており、ケースの蓋を開けると薬剤が染み出る塗布面を備えた薬剤入りケースが主流である。特許文献１に開示される器具では、このような薬剤入りケースに適用することができない問題がある。
【０００７】
また、孫の手のような一端が鉤状に折り曲げられた棒体の一端に薬剤の塗布面が備えられている特許文献１に開示される器具では、背中の面とほぼ平行に使用することになるので、塗布面を患部に押し当てる圧力が弱くなる問題がある。これを解消するには、使用者が器具を強く握り、強い力で患部に押し当てる必要がある。しかし、使用者は痛みなどを有するけが人などがほとんどであり、強い力で塗布面を患部に押し当てることは困難である。つまり、患部に十分に薬剤を塗布して浸透させるには、特許文献１に開示される器具では不十分である問題がある。
【特許文献１】登録実用新案第３０１２６０１号公報
【発明の開示】
【発明が解決しようとする課題】
【０００８】
そこで本発明は、けが人や老人など痛みを抱えた力の弱い使用者が、ケースに入った薬剤を、手の届きにくい背中や臀部などの患部に容易に塗布できる薬剤塗布用器具を提供することを目的とする。
【課題を解決するための手段】
【０００９】
第１の発明に係る薬剤塗布用器具は、湾曲したアームの一端に持ち手を接続し、薬剤入りケースを取り付け可能に形成された取り付け部を、アームの他端に接続し、取り付け部は、薬剤入りケースに設けられた薬剤の塗布面を外部に露出するように、薬剤入りケースを支持する。
【００１０】
この構成により、市販や処方により入手可能なケースに入った薬剤であっても、そのケースをなんら加工することもなく、薬剤塗布用器具に取り付けることができる。結果、背中や臀部など、手の届きにくい患部に対しても、市販や処方により入手できる薬剤を、容易に塗布することができ、使用者にとって好都合である。
【００１１】
第２の発明に係る薬剤塗布用器具では、第１の発明に加えて、アームは、もち手から一定の長さにかけて第１円弧部を有し、第１円弧部から取り付け部にかけて第２円弧部を有し、第２円弧部の曲率は第１円弧部の曲率よりも大きい
この構成により、薬剤塗布用器具を握っている腕の角度を、特段変えることなく、使用者は、塗布面を患部に向けて垂直にあてがうことができる。更に、少ない力で、患部に対して圧力をかけることができるので、薬剤を塗布する際の圧力を高め、患部への薬剤の浸透を高めることができる。
【００１２】
第３の発明に係る薬剤塗布用器具では、第１から第２のいずれかの発明に加えて、取り付け部は、対向する第１端部と第２端部を備えた筒状の部材を有し、第１端部はアームに接続され、第２端部は開口した開口部を有しており、開口部から薬剤入りケースが挿入されて取り付けられる。
【００１３】
この構成により、市販されたり処方されたりすることで入手できる、薬剤入りケースを、容易に取り付けることができる。このため、特別な手間を要さずに、市販や処方された薬剤を、手の届きにくい患部に塗布することができる。
【００１４】
第４の発明に係る薬剤塗布用器具では、第３の発明に加えて、筒状の側面に、筒状の部材の軸方向に沿ったスリットを形成してなる。
【００１５】
この構成により、市販されたり処方されたりすることで入手できる、薬剤入りケースを、容易に取り付けることができる。特に、構造が簡単であり、コストも低減できる。
【００１６】
第５の発明に係る薬剤塗布用器具では、第３の発明に加えて、筒状の部材の側面に、装着バンドを形成してなる。
【００１７】
この構成により、薬剤入りケースの外形や形状の相違に対して、広く対応して取り付けることができる。
【００１８】
第６の発明に係る薬剤塗布用器具では、第３の発明に加えて、筒状の部材の内側の側面に、薬剤入りケースを取り付け可能に形成された押さえ部を設けた。
【００１９】
この構成により、薬剤入りケースを確実に固定して取り付けることができる。
【００２０】
第７の発明に係る薬剤塗布用器具では、第１から第６のいずれかの発明に加えて、アームと取り付け部は、可動できる関節により接続されている。
【００２１】
この構成により、患部の凹凸に対応して、薬剤を塗布することができる。
【００２２】
第８の発明に係る薬剤塗布用器具では、第１から第７のいずれかの発明に加えて、アームは、伸縮可能である。
【００２３】
この構成により、手の届きにくい患部の位置の違いにも、柔軟に対応して、薬剤を塗布できる。また、使用時には、小さくたたむことができ、整理や収納に効果的である。
【００２４】
第９の発明に係る薬剤塗布用器具では、第１から第８のいずれかの発明に加えて、もち手の表面に滑り止めを形成してなる。
【００２５】
この構成により、使用者の誤った使用を防止できる。
【００２６】
第１０の発明に係る薬剤塗布用器具では、第１から第９のいずれかの発明に加えて、アームは中空であって、中空に心棒が備えられ、心棒の一端は薬剤入りケースの底部に接し、他端はもち手に設けられたボタンに接し、ボタンが押されると心棒は薬剤箱の底部を押し上げ、薬剤入りケースに充填されている薬剤を塗布面に漏出させる。
【００２７】
この構成により、薬剤入りケースを取り付けた後の使用中であっても、不足する薬剤を、塗布面に漏出させることができ、十分な量の薬剤の塗布を可能とする。
【００２８】
第１１の発明に係る薬剤塗布用器具では、第１から第１０のいずれかの発明に加えて、取り付け部は、アームから取り外し可能である。
【００２９】
この構成により、汚損や破損しやすい取り付け部のみを事後的に交換できる。また、使用する薬剤入りケースの相違に対応して、取り付け部のみを交換できる。結果として、低コストで、長期間にわたった使用ができる。
【発明の効果】
【００３０】
本発明によれば、けが人や老人など痛みを抱えた力の弱い使用者が、ケースに入った薬剤を、手の届きにくい背中や臀部などの患部に容易に塗布できる。
【００３１】
特に、本発明の薬剤塗布用器具は、市販されている薬剤が充填されて塗布面を備えた薬剤入りケースを、簡単に着脱して使用できるので、使用者は、簡単に使用できる。また、特別な薬剤を購入する必要もないので、使用者にとってのコストも低減できる。
【００３２】
また、使用時のみ薬剤入りケースを薬剤塗布用器具に装着すればよく、不使用時には、薬剤入りケースを救急箱などに保管できる。このため、従来の技術における器具と違い、薬剤が乾燥したり変質したりすることが防止され、薬剤の効能を持続させることができる。当然ながらコストも低減できる。
【００３３】
また、病院で処方される場合には、予め本発明に係る器具を配布しておき、以降は、薬剤を処方して渡せば、使用者は処方された薬剤を、本器具に装着して使用することが容易にできる。
【００３４】
また、本発明の薬剤塗布用器具は、十分に湾曲したアームを有しているので、力強く塗布面を患部に押し当てることが容易であり、けが人や老人など、力の衰えのある使用者にとって使いやすい。
【００３５】
更に、取り付け部とアームとが可動できる間接で接続されていることで、肩甲骨の近辺など、凹凸の大きい患部に対しても、確実に薬剤を塗布することができる。
【００３６】
また、アームを伸縮自在とすることで、より広範囲に塗布することができる。
【発明を実施するための最良の形態】
【００３７】
以下、図面を参照しながら、本発明の実施の形態を説明する。
【００３８】
（実施の形態１）
本発明の実施の形態１について、図１から図５を用いて説明する。
【００３９】
図１は、本発明の実施の形態１における薬剤塗布用器具の斜視図である。
【００４０】
（全体概要）
まず、全体の概要について説明する。
【００４１】
薬剤塗布用器具１は、もち手２の一端に湾曲したアーム３が取り付けられ、アーム３の先端には、薬剤入りケース６を取り付け可能とする取り付け部４を備えている。
【００４２】
取り付け部４は、内部空間５をもつ部位であり、取り付け部４は、この内部空間５に、薬剤入りケース６を挿入して取り付ける。このとき、薬剤入りケース６に設けられた薬剤の塗布面７が外部に露出するように取り付けられる。
【００４３】
薬剤塗布用器具１は、もち手２から薬剤の塗布面７までが大きく湾曲した構造を有している。
【００４４】
もち手２は、樹脂などで形成されており、使用者が手で握りやすいように略円柱の形状を有している。また、表面は凹凸や切れ込みなどの滑り止めを備えていることも好適である。特に、使用者が薬剤を塗布する場合には、もち手２の握りがすべると、薬剤を塗りにくくなるので、表面が滑り止め加工されていることが好適である。
【００４５】
なお、もち手２の表面は、織布で覆われていても良い。握り心地がよくなる効果があるからである。
【００４６】
アーム３は、もち手２から取り付け部４までを接続する骨格であり、もち手２から取り付け部４までの間が湾曲している。湾曲は、背中など使用者の手の届きにくいところに薬剤の塗布面７が届くようにするものである。
【００４７】
湾曲の形状や角度は、製品仕様や製造工程により適宜決められればよいが、もち手２を握った使用者が、薬剤の塗布面７を背中や臀部など、手の届きにくい身体の裏面に容易に届かせるに相当する形状を有していることが好適である。
【００４８】
ここで、背中に薬剤を塗布したいと思う場合には、背中の面に対して垂直に近い角度で、塗布面７が背中の面に対向する形状が、塗りやすさ（特に、塗る際に、十分な圧力を塗布したい身体の部位に与えることができることを考慮して）の点から好適である。このため、図１に示されるように、アーム３は、もち手２から一定の長さまでの第１領域３ａにおいてはゆるやかな円弧を有しており、第１領域３ａから取り付け部４にかけての第２領域３ｂにおいては、第１領域３ａよりも急峻な円弧を有していることが好ましい。この形状であれば、使用者は、少ない力で塗布しにくい背中の面などに、確実に薬剤を塗布することができる。
【００４９】
アーム３は、もち手２と同じく樹脂などで形成されており、骨格として一定の強度と硬度を有している。
【００５０】
取り付け部４は、市販や処方により使用者が入手できる薬剤入りケース６を取り付けることが可能な部材である。
【００５１】
取り付け部４は、一方の端部がアーム３に接続された、略筒状の部材であって、アーム３と接続する端部と対向する端部は、開口した開口部となっている。この開口部から内部空間５が導かれる。薬剤入りケース６は、開口部から入って、この内部空間５に挿入される。なお、筒状の断面は略円形でもよく、楕円形でも良く、角形や角に丸みをつけた方形でも良い。いずれにしても、取り付ける薬剤入りケース６の断面形状に合わせた形状を有していることが好ましい。
【００５２】
取り付け部４は、中空となって内部空間５を有しており、この内部空間５に薬剤入りケース６を挿入して取り付ける。薬剤入りケース６は、本体９と塗布面７を有しており、本体９が内部空間５に挿入され、塗布面７は外部に露出する。この露出した塗布面７が、身体の患部に接触し、塗布面７から染み出る薬剤が、患部に塗布される。
【００５３】
取り付け部４も樹脂などで形成されており、患部に接触する可能性が高いことから、抗菌処理が施されていることが好ましい。
【００５４】
また、取り付け部４の側面には孔が設けられて、この孔に指を入れて、取り付けられている薬剤入りケース６を取り出せるようにすることも好適である。また孔以外にも、取り付け部４の中に取り付けられた薬剤入りケース６を押し出せる、押し出し部などが設けられて、薬剤入りケースが取り出し可能であることが好ましい。
【００５５】
薬剤入りケース６は、鎮痛剤や消炎剤などを含んでおり、塗布面７にこれらの鎮痛剤や消炎剤が染み出る構造を有している。例えば、薬剤入りケース６内部から、浸透圧により塗布面７に薬剤が染み出たり、本体９に加わる圧力により、塗布面７から薬剤が染み出る。この染み出た薬剤が、塗布面７から患部に塗布されるものである。
【００５６】
（使用方法）
次に、図２を用いて、本発明の薬剤塗布用器具１の使用方法について説明する。
【００５７】
図２は、本発明の実施の形態１における薬剤塗布用器具の使用状態の説明図である。
【００５８】
使用者２０は、右手で薬剤塗布用器具１を握っている。使用者２０は、背中２１の肩甲骨２２の下にある患部２３に薬剤を塗布している。通常、背中２１においても、特に肩甲骨２２に隠れる部分は、非常に手が届きにくい部位である上に、痛みやかゆみなどが強く発生しやすい部位である。このため、痛みなどを抱える使用者２０は、市販薬の薬剤入りケース６をそのまま用いては、患部２３に薬剤を塗布することはきわめて困難である。また、特許文献１に開示された孫の手の先端に薬剤を埋め込む器具であっても、患部２３のような部位に対しては、薬剤の塗布を十分に行うことは難しい。薬剤の塗布面を、十分な角度と圧力をもって、患部２３に当てることができないからである。
【００５９】
本発明の薬剤塗布用器具１であれば、アーム３が十分な湾曲を有しているので、背中２１である上に、肩甲骨２２に隠れるような患部２３であっても、十分な角度と圧力をもって、塗布面７を患部にあてがうことができる。更に、市販や処方により通常且つ簡単に入手できるケースに入った薬剤をそのまま使用できるので、特許文献１のように、薬剤のみを取り出して先端に注入する必要や手間もなく、簡便である。
【００６０】
このようにして、使用者２０は、手の届きにくい背中や臀部などの患部に対しても、容易に薬剤を塗布することができるものである。
【００６１】
図２に示されるように、薬剤を塗布し終わった後は、取り付け部４に取り付けられた薬剤入りケース６を取り外せばよい。
【００６２】
また、薬剤入りケース６は塗布面７を覆う蓋８を備えているので、塗布に必要な分だけが塗布された後は、薬剤の品質を劣化させることもない。特に、使用後は、薬剤入りケース６の塗布面７に蓋８がされて、薬剤入りケース６は、冷暗所などに保管可能であるので、薬剤の品質保持ができるメリットもある。
【００６３】
なお、ここでは肩甲骨２２の下の患部２３を例にして説明したが、この例に限られるものではない。
【００６４】
（取り付け部の変形例）
次に、図３〜図５を用いて、薬剤入りケース６を取り付ける取り付け部４の種々の変形例について説明する。
【００６５】
図３、図４、図５は、本発明の実施の形態１における薬剤塗布用器具の斜視図である。
【００６６】
図３においては、取り付け部４は、筒状の部材であって、その側面にスリット１０を備えている。このスリット１０により、内部空間５に挿入された薬剤入りケース６に対して、挟持する圧力がかかる。この圧力により、取り付け部４は、挿入された薬剤入りケース６を固定して挟持する。
【００６７】
このようなスリット１０により、取り付け部４は、十分な固定力をもって、薬剤入りケース６を取り付け、手の届きにくい患部に、薬剤を塗布することを可能とする。
【００６８】
図４では、取り付け部４は、押さえ部１２を備えて、薬剤入りケース６を取り付ける。
【００６９】
薬剤入りケース６の本体９に図４のように、縦方向に複数の溝１１が設けられている場合に、この溝１１にはまり込むように形成された押さえ部１２により、取り付け部４は、薬剤入りケース６を固定する。押さえ部１２は、弾力性を有する部材の先端に設けられており、突起状である押さえ部１２が、溝１１にはまり込むと、その弾力により、薬剤入りケース６を固定する。弾力を持たせるために、押さえ部１２につながる部材は、一端が開放された円筒状の側面部材の一部であればよい。また、図４に示されるように、押さえ部１２が２箇所以上設けられて、薬剤入りケース６を固定することも好適である。
【００７０】
図４に示されるような取り付け部４は、溝１１が設けられている薬剤入りケース６などに最適に適用される。
【００７１】
次に、図５では、取り付け部４は、装着バンド１５により薬剤入りケース６を取り付ける。
【００７２】
取り付け部４は、装着バンド１５を備えており、装着バンド１５は、面ファスナー１６を備えている。装着バンド１５は、筒状の部材である取り付け部４の外周に沿って形成されており、装着の容易性のため、装着バンド１５は、筒状の一部の部材１７の外側に設けられている。
【００７３】
一部の部材１７に、薬剤入りケース６があてがわれ、装着バンド１５は、あてがわれた薬剤入りケース６の外周を抑えるようにして装着する。面ファスナー１６により、薬剤入りケース６は固定される。もちろん、面ファスナー１６以外のホックやボタンで固定されても良い。装着バンド１５は、一定の幅を持って薬剤入りケース６を固定できる。
【００７４】
図５に示される装着バンド１５による取り付けにより、薬剤入りケース６の直径が取り付け部４の内部空間５の内径と、多少の差があっても、この差を埋めて取り付けることができ、汎用性が高い。
【００７５】
製造者や使用者は、取り付ける薬剤入りケース６の形状や大きさ、種類に合わせた取り付け部４を備えた薬剤塗布用器具１を選択すればよい。
【００７６】
なお、取り付け部４が、アーム３から取り外し可能であり、取り付け部４がアタッチメント部材として供給されることも好適である。
【００７７】
使用者は、最初に薬剤塗布用器具１を購入し、以降は、取替え可能な取り付け部４を購入して、使用を継続することも好適である。例えば、薬剤塗布用器具１を購入後に、使用する薬剤入りケース６の形状や大きさが変わった場合には、それに合わせた取り付け部４を購入して取り替えるなどもよい。あるいは、アーム３などに比較して、薬剤の塗布により、直接的な圧力が加わる取り付け部４は、どうしても消耗が激しく、破損も生じやすい。このため、取り付け部４が事後的に交換可能であり、交換部品として入手可能であることは、薬剤塗布用器具１を長期間にわたって低コストで使用続けることにとって好適である。
【００７８】
以上の薬剤塗布用器具１により、市販や処方により入手できる薬剤入りケース６を使って、少ない力と手間で、背中や臀部など、手の届きにくい場所に容易且つ確実に薬剤を塗布できる。特に、痛みを抱える患者にとっては、少ない力で塗布できるメリットは大きい。また、使用の都度薬剤入りケース６を、薬剤塗布用器具１から取り外すことができるので、薬剤塗布用器具１自体を、冷暗所に保管でき、薬剤の変質を防止できる。
【００７９】
（実施の形態２）
次に、実施の形態２について、図６、図７を用いて説明する。
【００８０】
図６、図７は、本発明の実施の形態２における薬剤塗布用器具の斜視図である。
【００８１】
実施の形態２における薬剤塗布用器具１は、アーム３と取り付け部４が、可動できる間接３０により接続されている。
【００８２】
間接３０は、図６、図７に示されるとおり、アーム３の先端と取り付け部４の接続部分に設けられ、左右や周回状に可動できる。すなわち、アーム３を基準として、取り付け部４が可動できる。
【００８３】
間接３０は、図６に示されるように、アーム３と取り付け部４が球状の接続部材で接続されることにより実現されてもよく、図７に示されるように、互い違いにビス止めされることで実現されても良い。
【００８４】
図６、図７のいずれに示される間接３０も、アーム３を基準として取り付け部４を可動させる。
【００８５】
なお、図６、図７に示された間接３０は、一例であり、アーム３に対して取り付け部４が左右や周回状に可動できるものであれば、いかなるものでも良い。また、間接３０は、取り付け部４を可動にすると共に、アーム３と取り付け部４を接続するものである。また、実施の形態１で説明したように、間接３０を基点に、取り付け部４が取り外し可能となっており、事後的に取り付け部４が交換可能であることも好適である。低コストで使用者の便宜が高まるからである。
【００８６】
使用者は、手の届きにくい背中や臀部などへの薬剤の塗布を目的として、薬剤塗布用器具１を使用する。このとき、背中や臀部などは、凹凸が多く、アーム３に対して取り付け部４がそのまま接続されているだけであると、塗布面７を患部の凹凸にあわせるためには、使用者がアーム３全体で、向きや角度を変える必要がある。これだけでは、凹凸の全てに滑らかに対応して、塗布面を当てることができないこともある。また、使用者にとっての負担となり、例えば、腕に痛みを抱えている使用者は、患部の凹凸に合わせるために、腕を細かく動かすことは困難である。
【００８７】
実施の形態２における薬剤塗布用器具１は、間接３０により取り付け部４が左右や周回状に可動する。このため、使用者は背中や臀部などに向けて当てた塗布面７を、特別な動作無く、患部の凹凸に合わせてあてがうことが容易にできる。すなわち、使用者は背中や臀部などに塗布面７をまずあてがう。次いで、塗布面７をあてがった状態のままで、もち手２を握る手を上下や左右に軽く動かすだけで、塗布面７が患部の凹凸に沿って移動する。この結果、使用者に特段の負荷や手間を要求せずに、凹凸を有する患部に、薬剤を塗布することができる。
【００８８】
なお、間接３０の可動範囲は、適宜定められれば良く、間接３０の可動性と接続における固定性とのバランスも適宜定められればよい。また、間接３０の可動範囲や可動時の硬さ等は、使用者により調整可能であることも好適である。例えば、間接３０に設けられたねじやビスなどの締め込みにより間接３０の可動時の硬さが調整される。
【００８９】
実施の形態２における薬剤塗布用器具１によれば、使用者の手間や負担を更に軽減した上で、凹凸のある患部に対しても容易に薬剤を塗布できる。
【００９０】
（実施の形態３）
次に、図８を用いて実施の形態３について説明する。
【００９１】
実施の形態３における薬剤塗布用器具１は、図８に示されるとおり、伸縮可能なアーム３を備えている。図８は、本発明の実施の形態３における薬剤塗布用器具の斜視図である。
【００９２】
薬剤塗布用器具１は、実施の形態１と同じく、もち手２、アーム３、取り付け部４を基本構成として備え、取り付け部４は、市販や処方されたケース入り薬剤６を取り付けて、塗布面７に染み出る薬剤を、患部に塗布できるようにしている。
【００９３】
実施の形態３においては、アーム３は、伸縮部４０を備えている。伸縮部４０は、アーム３の内部に納められた部材であり、アーム３の内部に収納することも、引き伸ばすことも可能である。
【００９４】
この伸縮部４０により、アーム３の長さを伸縮させることができる。このアーム３が伸縮することにより、腰上の背骨付近など、肩の上からもわき腹からも遠い場所などに存在する患部に対しても、十分に塗布面７を届かせることができる。
【００９５】
あるいは、不使用時には、伸縮部４０を縮めておき、使用時に伸ばすことで、効率的な使い方ができる。不使用時の整理が容易となる。
【００９６】
なお、伸縮部４０の伸縮状態を固定するために、留め具を使うことも好適である。
【００９７】
実施の形態３における薬剤塗布用器具１により、不使用時における整理を容易にできる。また、遠い位置にある患部に対しても、苦も無く薬剤を塗布できる。
【００９８】
（実施の形態４）
次に、図９を用いて実施の形態４について説明する。
【００９９】
図９は、本発明の実施の形態４における薬剤塗布用器具の斜視図である。実施の形態４における薬剤塗布用器具１は、取り付けた薬剤入りケース６の塗布面７に、薬剤を容易に漏出させる機構を備えている。
【０１００】
実施の形態４では、図９に示されるように、アーム３の内部が中空であり、この中空に心棒５０が備えられている。心棒５０の一端は、薬剤入りケース６の底部５１に接しており、心棒５０の底部５１に接する部分には、押し上げ部５２が設けられている。心棒５０の他端は持ち手２に設けられたボタン５３に接続されている。
【０１０１】
ボタン５３は、使用者が押すことが可能であり、使用者がボタン５３を押すことで、心棒５０が押し出され、押し上げ部５２を押し上げる。この押し上げ部５２は、そのまま薬剤入りケース６の底部５１を押し上げる。薬剤入りケース６の本体９には、鎮痛剤や消炎剤などの薬剤が封入されており、底部５１が押し上げられると、内部の薬剤が塗布面７に漏出する。通常は、薬剤入りケース６を、使用者が指で直接圧力をかけることで、薬剤が塗布面７に漏出するが、実施の形態４における薬剤塗布用器具１であれば、取り付けられた状態であっても、使用者がボタン５３を押すだけで、薬剤を塗布面７に漏出させることができる。
【０１０２】
例えば、使用者が、背中や臀部などの手の届きにくい患部に、薬剤を塗布している最中に、薬剤の出が悪くなった場合には、そのままの姿勢でボタン５３を押せば、薬剤を塗布面に漏出させることができる。結果として、薬剤入りケース６を取り付け部４から取り外す手間無く、薬剤を塗布面７に漏出させることができ、そのまま薬剤の塗布を続けることができる。
【０１０３】
実施の形態４における薬剤塗布用器具１により、使用者の手間を省いた上で、塗布面７への薬剤の供給を簡単に行い、患部への薬剤の塗布を確実に行うことができる。
【産業上の利用可能性】
【０１０４】
本発明は、例えば、鎮痛剤や消炎剤などの市販されるケースに封入された薬剤を、手の届きにくい患部に塗布できる医療器具の分野等において好適に利用できる。
【図面の簡単な説明】
【０１０５】
【図１】本発明の実施の形態１における薬剤塗布用器具の斜視図
【図２】本発明の実施の形態１における薬剤塗布用器具の使用状態の説明図
【図３】本発明の実施の形態１における薬剤塗布用器具の斜視図
【図４】本発明の実施の形態１における薬剤塗布用器具の斜視図
【図５】本発明の実施の形態１における薬剤塗布用器具の斜視図
【図６】本発明の実施の形態２における薬剤塗布用器具の斜視図
【図７】本発明の実施の形態２における薬剤塗布用器具の斜視図
【図８】本発明の実施の形態３における薬剤塗布用器具の斜視図
【図９】本発明の実施の形態４における薬剤塗布用器具の斜視図
【符号の説明】
【０１０６】
１  薬剤塗布用器具
２  もち手
３  アーム
４  取り付け部
５  内部空間
６  薬剤入りケース
７  塗布面
８  蓋
９  本体
【図１】
2007307069.tif 000003
【図２】
2007307069.tif 000004
【図３】
2007307069.tif 000005
【図４】
2007307069.tif 000006
【図５】
2007307069.tif 000007
【図６】
2007307069.tif 000008
【図７】
2007307069.tif 000009
【図８】
2007307069.tif 000010
【図９】
2007307069.tif 000011